(57)【要約】【課題】本発明は送風機と、それを装着した冷却服に関するもので、送風ケース外周面の吸気口側の保護を目的とするものである。【解決手段】送風機２は、一端側に吸気口３、他端側に送風口４が形成された筒状の送風ケース５と、この送風ケース５内に配置され、吸気口３から、送風ケース５内に吸いこんだ空気を、送風口４から、送風ケース５外に送風する送風ファン６と、送風ケース５の外周面において、この外周面から外周方向に突出させた取付鍔７と、送風ケース５の外周面において、取付鍔７の送風口４側に装着される衣料取付手段８と、を備え、送風ケース５の外周面で、取付鍔７の吸気口３側に、この送風ケース５の外周面の少なくとも一部、および、取付鍔７の少なくとも一部を覆う保護リング１２を、着脱自在に装着した構成とした。【選択図】図２
2020033671.tif 000002
【特許請求の範囲】
【請求項１】
一端側に吸気口、他端側に送風口が形成された筒状の送風ケースと、
この送風ケース内に配置され、前記吸気口から、前記送風ケース内に吸いこんだ空気を、前記送風口から、前記送風ケース外に送風する送風ファンと、
前記送風ケースの外周面において、この外周面から外周方向に突出させた取付鍔と、
前記送風ケースの外周面において、前記取付鍔の送風口側に装着される衣料取付手段と、を備え、
前記送風ケースの外周面で、前記取付鍔の吸気口側に、この送風ケースの外周面の少なくとも一部、および、前記取付鍔の少なくとも一部を覆う保護リングを、着脱自在に装着した送風機。
【請求項２】
前記送風ケースの吸気口に吸気ガードを装着し、前記取付鍔、または、この取付鍔よりも吸気口側の送風ケースの外周面部分に、前記吸気ガードを取り付ける吸気ガード取付部を設け、この吸気ガード取付部に、前記吸気ガードを、この吸気ガードの一部で形成した突起、または、吸気ガードとは別体の吸気ガード取付具によって、着脱自在に取り付ける構成とするとともに、前記吸気ガード取付部の外周は、前記保護リングで覆った請求項１に記載の送風機。
【請求項３】
前記吸気ガード取付具は、ねじによって構成し、このねじは、前記送風ケースの外周面の送風口側から、前記吸気ガード取付部に対して、螺合する構成とした請求項２に記載の送風機。
【請求項４】
前記送風ケースの取付鍔は、この送風ケースの外周面を周回するリング状に形成され、このリング状の取付鍔は、リング状始点からリング状中間点までは、前記送風ケースの外周面で、吸気口側から送風口方向側に徐々に移行し、前記リング状中間点からリング状終点までは、前記送風ケースの外周面で、送風口側から吸気口方向側に徐々に移行する構成とした請求項２または３に記載の送風機。
【請求項５】
前記保護リングの、前記送風ケースの吸気口側から送風口方向側への幅は、リング状始点からリング状中間点までは、徐々に広くなり、リング状中間点から、リング状終点までは、徐々に狭くなる形状とし、この保護リングのリング状始点部分を、前記送風ケースの取付鍔のリング状始点部分に対応させ、前記保護リングを前記送風ケースの外周面に装着させる構成とした請求項４に記載の送風機。
【請求項６】
前記吸気ガード取付部は、リング状の取付鍔の、リング始点からリング中間点までの間と、リング中間点からリング終点までの間の少なくとも一方で、送風ファンの回転軸よりリング中間点側に配置した請求項５に記載の送風機。
【請求項７】
前記保護リングは、合成樹脂によって形成し、リング状として撓みを持つ構成とした請求項１から６いずれか一つに記載の送風機。
【請求項８】
前記保護リングは、前記送風ケースの吸気口側の開口径よりも、前記送風ケースの送風口側の開口径を大きくし、前記吸気口側の開口部と、送風口側の開口部間を斜面によって結んだ形状とした請求項１から７いずれか一つに記載の送風機。
【請求項９】
前記送風ケースの吸気口への、前記吸気ガードの装着により、前記送風ファンへの通電を制御する吸気ガード装着検出スイッチを設けた請求項１から８のいずれか一つに記載の送風機。
【請求項１０】
前記送風ケースの外周面に、前記送風ファンとバッテリーとを接続するコネクタを配置し、このコネクタ部分に、前記吸気ガード装着検出スイッチを設けた請求項９に記載の送風機。
【請求項１１】
請求項１から１０のいずれか一つに記載の送風機を有し、この送風機の、前記取付鍔よりも送風口側を、服地の取付孔に、この服地の表側から、服地の裏面側に突入させ、前記服地の裏側において、前記取付鍔と前記衣料取付手段とで、前記服地を挟んだ状態とする冷却服。
【発明の詳細な説明】
【技術分野】
【０００１】
本発明は、送風機と、それを装着した冷却服に関するものである。
【背景技術】
【０００２】
送風機を服地に装着した冷却服が開発され、脚光を浴びている。
具体的には、前記送風機は、一端側に吸気口、他端側に送風口が形成された筒状の送風ケースと、この送風ケース内に配置され、前記吸気口から、送風ケース内に吸いこんだ空気を、前記送風口から、送風ケース外に送風する送風ファンと、前記送風ケースの外周面において、この外周面から外周方向に突出させた取付鍔と、前記送風ケースの外周面において、前記取付鍔の送風口側に装着される衣料取付手段と、を備えた構成となっている。また、服地には、前記送風機の取付孔が設けられている。
したがって、前記送風機を服地に装着する場合には、この送風機の取付鍔よりも送風口側を、前記服地の取付孔に、この服地の表側から、服地の裏面側に突入させ、服地の裏側において、取付鍔と衣料取付手段とで、前記服地を挟んだ状態で、服地に設置する構成としている（これに類似する先行文献としては下記特許文献１）。
【先行技術文献】
【特許文献】
【０００３】
【特許文献１】特許第５９５８９２３号公報
【発明の概要】
【発明が解決しようとする課題】
【０００４】
上記冷却服では、送風機に通電すると、吸気口から、服地外の空気が送風ケース内に吸い込まれ、送風口から、送風ケース外、つまり、服地内に送風され、この空気で体を冷却することが出来、極めて快適なものとなる。
【０００５】
しかしながら、この冷却服では、送風機の吸気口側が服地の外に配置された状態となるので、送風ケース外周面の吸気口側、つまり服地外側部分が汚れたり、損傷したりする虞がある。
【０００６】
そこで、本発明は、送風ケース外周面の吸気口側の保護を目的とするものである。
【課題を解決するための手段】
【０００７】
そして、この目的を達成するために、本発明は、送風ケースの外周面で、前記取付鍔の吸気口側に、この送風ケースの外周面の少なくとも一部、および、取付鍔の少なくとも一部を覆う保護リングを、着脱自在に装着したものである。
【０００８】
すなわち、本発明に係る送風機は、一端側に吸気口、他端側に送風口が形成された筒状の送風ケースと、この送風ケース内に配置され、前記吸気口から、前記送風ケース内に吸いこんだ空気を、前記送風口から、前記送風ケース外に送風する送風ファンと、前記送風ケースの外周面において、この外周面から外周方向に突出させた取付鍔と、前記送風ケースの外周面において、前記取付鍔の送風口側に装着される衣料取付手段と、を備え、前記送風ケースの外周面で、前記取付鍔の吸気口側に、この送風ケースの外周面の少なくとも一部、および、前記取付鍔の少なくとも一部を覆う保護リングを、着脱自在に装着した。
【０００９】
本発明に係る送風機は、前記送風ケースの吸気口に吸気ガードを装着し、前記取付鍔、または、この取付鍔よりも吸気口側の送風ケースの外周面部分に、前記吸気ガードを取り付ける吸気ガード取付部を設け、この吸気ガード取付部に、前記吸気ガードを、この吸気ガードの一部で形成した突起、または、吸気ガードとは別体の吸気ガード取付具によって、着脱自在に取り付ける構成とするとともに、前記吸気ガード取付部の外周は、前記保護リングで覆った。
【００１０】
本発明に係る送風機は、前記吸気ガード取付具は、ねじによって構成し、このねじは、前記送風ケースの外周面の送風口側から、前記吸気ガード取付部に対して、螺合する構成とした。
【００１１】
本発明に係る送風機は、前記送風ケースの取付鍔は、この送風ケースの外周面を周回するリング状に形成され、このリング状の取付鍔は、リング状始点からリング状中間点までは、前記送風ケースの外周面で、吸気口側から送風口方向側に徐々に移行し、前記リング状中間点からリング状終点までは、前記送風ケースの外周面で、送風口側から吸気口方向側に徐々に移行する構成とした。
【００１２】
本発明に係る送風機は、前記保護リングの、前記送風ケースの吸気口側から送風口方向側への幅は、リング状始点からリング状中間点までは、徐々に広くなり、リング状中間点から、リング状終点までは、徐々に狭くなる形状とし、この保護リングのリング状始点部分を、前記送風ケースの取付鍔のリング状始点部分に対応させ、前記保護リングを前記送風ケースの外周面に装着させる構成とした。
【００１３】
本発明に係る送風機は、前記吸気ガード取付部は、リング状の取付鍔の、リング始点からリング中間点までの間と、リング中間点からリング終点までの間の少なくとも一方で、送風ファンの回転軸よりリング中間点側に配置した。
【００１４】
本発明に係る送風機は、前記保護リングは、合成樹脂によって形成し、リング状として撓みを持つ構成とした。
【００１５】
本発明に係る送風機は、前記保護リングは、前記送風ケースの吸気口側の開口径よりも、前記送風ケースの送風口側の開口径を大きくし、前記吸気口側の開口部と、送風口側の開口部間を斜面によって結んだ形状とした。
【００１６】
本発明に係る送風機は、前記送風ケースの吸気口への、前記吸気ガードの装着により、前記送風ファンへの通電を制御する吸気ガード装着検出スイッチを設けた。
【００１７】
本発明に係る送風機は、前記送風ケースの外周面に、前記送風ファンとバッテリーとを接続するコネクタを配置し、このコネクタ部分に、前記吸気ガード装着検出スイッチを設けた。
【００１８】
本発明に係る冷却福は、上記した送風機を有し、この送風機の、前記取付鍔よりも送風口側を、服地の取付孔に、この服地の表側から、服地の裏面側に突入させ、前記服地の裏側において、前記取付鍔と前記衣料取付手段とで、前記服地を挟んだ状態とした。
【発明の効果】
【００１９】
以上のように本発明は、送風ケースの外周面で、取付鍔の吸気口側に、この送風ケースの外周面の少なくとも一部、および、取付鍔の少なくとも一部を覆う保護リングを、着脱自在に装着したものであるので、送風ケース外周面の吸気口側、および取付鍔を保護することが出来る。
すなわち、保護リングにより、服地の外に存在する送風ケース外周面の吸気口側の少なくとも一部や、取付鍔の少なくとも一部を覆う事で、送風ケース外周面の吸気口側、および取付鍔を保護することが出来るのである。
また、保護リングは送風ケースに対して着脱自在としたので、保護リングが汚れたり、損傷したりした場合には、それを交換することで、送風機としての機能を保持することができる。
【図面の簡単な説明】
【００２０】
【図１】本発明の一実施形態にかかる送風機を装着した冷却服を示す背面図
【図２】同送風機の組立前の斜視図
【図３】同送風機の組立前の正面図
【図４】同送風機の組立後の正面図
【図５】同送風機の組立後の断面図
【図６】同送風機の組立前の斜視図
【図７】同送風機の組立前の斜視図
【図８】図７の一部拡大図
【図９】同送風機の組立後の断面図
【図１０】図９の一部拡大断面図
【図１１】同送風機の組立前の斜視図
【図１２】同送風機の組立前の斜視図
【図１３】同送風機の組立前の斜視図
【図１４】同送風機の組立後の正面図
【図１５】同送風機の組立後の正面図
【図１６】同送風機の組立後の底面図
【図１７】同送風機の組立前の透視斜視図
【図１８】同送風機の電気回路図
【図１９】本発明の他の実施形態にかかる送風機の組立前の分解斜視図
【図２０】図１９の一部拡大斜視図
【図２１】図１９の一部拡大斜視図
【図２２】同送風機の組立前の平面図
【発明を実施するための形態】
【００２１】
（実施の形態１）
以下本発明の一実施形態を、添付図面を用いて説明する。
【００２２】
図１において、１は冷却服で、その背中部分の下方の左右に、二つの送風機２が装着されている。
つまり、本実施形態の冷却服１も、上記特許文献１と同じように、冷却服１の外側の空気が、この送風機２によって冷却服１内に取り込まれ、襟部分や袖部分から、冷却服１外に吹き出され、これにより身体の冷却を行うようにしている。
【００２３】
送風機２は、図２〜図５に示すように、一端側に吸気口３、他端側に送風口４が形成された円筒状の送風ケース５と、この送風ケース５内に配置され、前記吸気口３から、送風ケース５内に吸いこんだ空気を、前記送風口４から、送風ケース５外に送風する送風ファン６と、前記送風ケース５の外周面において、この外周面から外周方向に突出させた取付鍔７と、前記送風ケース５の外周面において、前記取付鍔７の送風口４側に装着される衣料取付手段８と、を備えた構成となっている。
【００２４】
また、前記送風ケース５の吸気口３に吸気ガード９を装着している。
吸気ガード９は、図６に示すように、円筒部９ａと、この円筒部９ａの吸気口３側に設けた多分割開口状のガード部９ｂとを備えた構成となっており、円筒部９ａを、円筒状の送風ケース５内に、吸気口３側から挿入し、これにより、送風ケース５の吸気口３に吸気ガード９を取り付けている。
具体的には、図７に示すように、送風ケース５の取付鍔７に、前記吸気ガード９を取り付ける吸気ガード取付部１０を設けている（または、この取付鍔７よりも吸気口３側の送風ケース５の外周面部分に吸気ガード取付部１０を設けても良い）。
【００２５】
この実施形態では、吸気ガード取付部１０は、ねじ締め構成体（めねじ）によって構成されており、また、ガード部９ｂ外周にはねじ孔９ｃを設けているので、吸気ガード取付部１０とねじ孔９ｃを合致させ、吸気口３側から吸気ガード取付具の一例として設けたねじ１１を螺合させることにより、送風ケース５の吸気ガード取付部１０に、前記吸気ガード９を着脱自在に取り付けている。
【００２６】
また、前記送風ケース５の外周面で、前記取付鍔７の吸気口３側には、この送風ケース５の外周面の少なくとも一部、および、取付鍔７の少なくとも一部を覆う保護リング１２を、着脱自在に装着している。
【００２７】
衣料取付手段８は、図２に示されているとおり、環状であり、一部が外側に向けて張り出している。この張り出した箇所に、切欠き部２４が形成されている。切欠き部２４は、吸気される側から送風する側に向けて形成された窪みであり、吸気される側が開放し、送風する側が閉塞している。すなわち、切欠き部２４は、衣料取付手段８の接線方向および吸気される側が開放されている。
【００２８】
なお、衣料取付手段８は、上記先行文献でも説明されているように、冷却服１に送風機２を取り付けるために用いるものであり、送風機２を冷却服１の服地に装着する場合には、この送風機２の取付鍔７よりも送風口４側を、前記服地の取付孔（図示せず）に、この服地の表側から、服地の裏面側に突入させ、服地の裏側において、取付鍔７と衣料取付手段８とで、前記服地を挟んだ状態で、服地に設置する。
【００２９】
次に、本実施形態の特徴である保護リング１２について説明する。
この保護リング１２は、合成樹脂によって形成し、リング状として撓みを持つ構成としたもので、耐候性、難燃性および強度を高めるために、一例としてポリカーボネートとＡＢＳ樹脂を合成した合成樹脂によって形成した。
この保護リング１２を、図４、図５、図１１〜図１３のように、送風ケース５の外周面で、前記取付鍔７の吸気口３側に、着脱自在に装着している。
具体的には、送風ケース５の外周面で、前記取付鍔７の吸気口３側には、断続的に突起１３が環状に配置されている。
また、保護リング１２の背面側には、突起１３に合わせ、次に、保護リング１２を回動させれば、突起１３に係合する係合部１２ａが、突起１３と同じ数だけ配置されている。
このため、保護リング１２の係合部１２ａを突起１３に合致させ、この保護リング１２を一方向に回動させれば、保護リング１２が、送風ケース５の外周面で、前記取付鍔７の吸気口３側に、着脱自在に装着されることになる。もちろん、保護リング１２が、送風ケース５の外周面で、前記取付鍔７の吸気口３側に、着脱自在に装着された状態で、他方向に回動させれば、保護リング１２を送風ケース５から取り外すことが出来る。
【００３０】
送風ケース５の取付鍔７や、保護リング１２について、さらに説明を続ける。
先ず、前記送風ケース５の取付鍔７は、図１１、図１２のように、この送風ケース５の外周面を周回するリング状に形成され、このリング状の取付鍔７は、リング状始点（図１１のＡ点）からリング状中間点（図１１のＢ点）までは、前記送風ケース５の外周面で、吸気口３側から送風口４方向側（反時計方向）に徐々に移行（傾斜）し、前記リング状中間点（図１１のＢ点）からリング状終点（図１１のＡ点と同じ位置で）までは、前記送風ケース５の外周面で、送風口４側から吸気口３方向側（反時計方向）に徐々に移行（傾斜）する構成としている。
【００３１】
また、保護リング１２の、前記送風ケース５の吸気口３側から送風口４方向側への幅は、図１１、図１２から理解されるように、リング状始点（図１１のＣ点）からリング状中間点（図１１のＤ点）までは、反時計方向に徐々に広くなり、リング状中間点（図１１のＤ点）から、リング状終点（図１１のＣ点と同じ位置）までは、反時計方向に徐々に狭くなる形状としている。
【００３２】
そして、この保護リング１２のリング状始点部分（図１１のＣ点）を、前記送風ケース５の取付鍔７のリング状始点部分（図１１のＡ点）に対応させ、保護リング１２のリング状中間点（図１１のＤ点）を、前記送風ケース５の取付鍔７のリング状中間点（図１１のＢ点）に対応させ、保護リング１２を送風ケース５の外周面に装着している。
【００３３】
また、前記吸気ガード取付部１０は、図３、図１１、図１２から理解されるように、リング状の取付鍔７の、リング始点（図１１のＡ点）からリング中間点（図１１のＢ点）までの間と、リング中間点（図１１のＢ点）からリング終点（図１１のＡ点）までの間の少なくとも一方で、送風ファン６の回転軸よりも、前記リング状の取付鍔７の、リング中間点（図１１のＢ点）側に配置した。換言すれば、図２２に示されているとおり、リング状の取付鍔７のリング始点（図２２のＡ点）またはリング終点（図２２のＡ点）、送風ファン６の回転軸およびリング中間点（図２２のＢ点）を通る第一仮想線Ｙと直交し、かつ、リング状の取付鍔７を通る第二仮想線Ｘを境界として、リング中間点（図２２のＢ点）側に、吸気ガード取付部１０が配置されている。
つまり、本実施形態では、吸気ガード取付部１０、吸気ガード取付具の一例として設けたねじ１１部分も、この保護リング１２の広い部分で確実に覆うことにより、その部分の汚れ、損傷を防止している。
【００３４】
また、前記保護リング１２は、これらの図１１、図１２からも理解されるように、送風ケース５の吸気口３側の開口径よりも、送風ケース５の送風口４側の開口径を大きくし、前記吸気口３側の開口部と、送風口４側の開口部間を斜面によって結んだ形状とした。
つまり、この保護リング１２は、上述のごとく、送風ケース５の外周面で、前記取付鍔７の吸気口３側に、着脱自在に装着されるものであるが、この装着時において、手のひら側となる保護リング１２の送風ケース５の吸気口３側の径を小さくすることで、持ちやすく、着脱作業が行いやすいものとなる。
【００３５】
また、このように保護リング１２の、送風ケース５の吸気口３側の開口径よりも、送風ケース５の送風口４側の開口径を大きくし、前記吸気口３側の開口部と、送風口４側の開口部間を斜面によって結んだ形状とすることで、保護リング１２のリング状始点部分（図１１のＣ点）は、いわゆる細い状態となり、撓みやすくなるので、作業時に、保護リング１２を手のひらに保持させる作業も極めて行いやすいものとなる。つまり、保護リング１２の着脱作業が行いやすいものとなるのである。
【００３６】
さらに、送風ケース５の送風口４側の開口径を大きくすることで、図５のごとく、この保護リング１２により、送風ケース５の外周面で、前記取付鍔７の吸気口３側、および、取付鍔７の外周を覆うことが出来るので、その保護機能も十分に発揮される。
【００３７】
さらにまた、保護リング１２の、送風ケース５の吸気口３側の開口径よりも、送風ケース５の送風口４側の開口径を大きくし、前記吸気口３側の開口部と、送風口４側の開口部間を斜面によって結んだ形状とすることで、リング状の斜面が演出されることとなるので、この保護リング１２を、例えば、赤色、黒色、青色などに着色すれば、意匠効果も高まる。
【００３８】
以上のように、本実施形態は、送風ケース５の外周面の少なくとも一部、および、取付鍔７の少なくとも一部を覆う保護リング１２を、着脱自在に装着しているので、冷却服１外に存在することとなる、送風ケース５外周面の吸気口３側、および取付鍔７を、外部衝撃や、汚れから保護することが出来る。
また、保護リング１２は送風ケース５に対して着脱自在としたので、保護リング１２が汚れたり、損傷したりした場合には、それを交換することで、送風機２としての機能を保持することができる。
【００３９】
本実施形態における他の特徴点について説明する。
本実施形態では、上記吸気ガード取付具の一例として設けたねじ１１を外せば、図７のように、送風ケース５から吸気ガード９を取り外し、送風ファン６の掃除も行うことが出来る。
このように送風ファン６の掃除を行うときには、送風ファン６への通電を遮断することが好ましく、本実施形態では、図１８のように、送風ファン６への通電路に吸気ガード装着検出スイッチ１４を介在させている。なお、図１８の１５はバッテリー、１６は出力電圧調整回路である。
【００４０】
吸気ガード装着検出スイッチ１４は、具体的には、図７〜図１０、図１７のように取り付けられている。
具体的には、本実施形態では、前記送風ケース５の外周面に、送風ファン６とバッテリー１３とを接続するコネクタ１７を配置し、このコネクタ１７部分に、前記吸気ガード装着検出スイッチ１４を設けた。
このコネクタ１７には、バッテリー１３からのプラグ１８が、図１４〜図１６のように着脱自在に挿入される。
つまり、本実施形態では、コネクタ１７を送風ケース５の外周面に設けているので、送風ケース５の外部空間を利用し、コネクタ１７と一体的に吸気ガード装着検出スイッチ１４を配置することが出来る。
【００４１】
そして、このように送風ケース５の外周面に吸気ガード装着検出スイッチ１４を配置した状態で、吸気ガード９によって、吸気ガード装着検出スイッチ１４を開閉させる構成としている。
具体的には、吸気ガード９は、図６を用いて上述で説明したように、円筒部９ａと、この円筒部９ａの吸気口３側に設けた多分割開口状のガード部９ｂとを備えた構成となっており、円筒部９ａを、円筒状の送風ケース５内に、吸気口３側から挿入し、これにより、送風ケース５の吸気口３に吸気ガード９を取り付けている。
したがって、吸気ガード９の円筒部９ａ外周に、図６、図９、図１０のように、送風ケース５の送風口４側へと延びる突起１９を設け、また、この突起１９に対応する送風ケース５の外周面には図８のように切り溝２０を設け、この切り溝２０に、吸気ガード装着検出スイッチ１４のアクチュエータ２１を臨ませた。
このため、送風ケース５から吸気ガード９を取り外すと、アクチュエータ２１は、送風ケース５の突起１９による押圧が解除され、その結果、吸気ガード装着検出スイッチ１４はオフ状態となり、送風ファン６は停止状態となる。
したがって、送風ファン６の掃除を安全に行うことが出来る。
【００４２】
また、図１４および図１５に示されているとおり、コネクタ１７およびプラグ１８は、衣料取付手段８の切欠き部２４に配置されている。そのため、プラグ１８が、コネクタ１７に挿入されて送風ケース５に繋がっている状態であっても、プラグ１８が切欠き部２４を通ることで、衣料取付手段８を送風ケース５から取り外すことができる。なお、仮に、切欠き部２４に替えて、孔であった場合、孔にプラグ１８が通されるため、プラグ１８をコネクタ１７から引き抜いた後でなければ、衣料取付手段８を送風ケース５から取り外すことができない。
【００４３】
なお、本実施形態では、本体ケース５の吸気ガード取付部１０をめねじで構成し、吸気ガード取付具の一例として設けたねじ１１を用いたが、図１９〜図２１に示すように、本体ケース５の外周に、吸気ガード取付部として複数の係合孔２２を設け、吸気ガード取付具としては、吸気ガード９の円筒部９ａに弾性で、前記係合孔２２に着脱自在に係合する係合突起２３を設けても良い。
そして、このような構成としても、上記実施形態と同じように、吸気ガード取付部として設けた複数の係合孔２２、および、吸気ガード取付具として設けた係合突起２３は、保護リング１２によって覆われる。
【００４４】
以上、本発明の実施形態を詳述したが、本発明は上記実施形態に限定されるものではない。そして本発明は、特許請求の範囲に記載された事項を逸脱することがなければ、種々の設計変更を行うことが可能である。本発明の送風機は、冷却服などに活用される。
【符号の説明】
【００４５】
１      冷却服
２      送風機
３      吸気口
４      送風口
５      送風ケース
６      送風ファン
７      取付鍔
８      衣料取付手段
９      吸気ガード
９ａ    円筒部
９ｂ    ガード部
９ｃ    ねじ孔
１０    吸気ガード取付部
１１    ねじ（吸気ガード取付具）
１２    保護リング
１２ａ  係合部
１３    突起
１４    吸気ガード装着検出スイッチ
１５    バッテリー
１６    出力電圧調整回路
１７    コネクタ
１８    プラグ
１９    突起
２０    切り溝
２１    アクチュエータ
２２    係合孔
２３    係合突起（吸気ガード取付具）
２４    切欠き部
Ｘ      第二仮想線
Ｙ      第一仮想線
【図１】
2020033671.tif 000003
【図２】
2020033671.tif 000004
【図３】
2020033671.tif 000005
【図４】
2020033671.tif 000006
【図５】
2020033671.tif 000007
【図６】
2020033671.tif 000008
【図７】
2020033671.tif 000009
【図８】
2020033671.tif 000010
【図９】
2020033671.tif 000011
【図１０】
2020033671.tif 000012
【図１１】
2020033671.tif 000013
【図１２】
2020033671.tif 000014
【図１３】
2020033671.tif 000015
【図１４】
2020033671.tif 000016
【図１５】
2020033671.tif 000017
【図１６】
2020033671.tif 000018
【図１７】
2020033671.tif 000019
【図１８】
2020033671.tif 000020
【図１９】
2020033671.tif 000021
【図２０】
2020033671.tif 000022
【図２１】
2020033671.tif 000023
【図２２】
2020033671.tif 000024